(57)【要約】【課題】外部記憶媒体に蓄積されている名刺データなどのデータを相手電話装置へ送信可能なデータ通信機能を有する電話装置を提供する。【解決手段】外部記憶媒体４００の挿入または接続時に外部記憶媒体４００に記憶されているデータの内容またはメニューデータをＬＣＤ１１２に表示し、ＬＣＤ１１２上で相手電話装置を選択し、相手電話装置が、外部記憶媒体４００に記憶している名刺データを受信可能な電話装置であると制御部１０１が識別した時、名刺データとして所定の発信元情報を自動的に送信する。【選択図】図２
2007336334.tif 000002
【特許請求の範囲】
【請求項１】
外部記憶媒体との接続手段を有する電話装置であって、
外部記憶媒体の挿入または接続を検出する外部記憶媒体検出手段と、
前記外部記憶媒体の挿入または接続を検出した時、前記外部記憶媒体に記憶されているデータの内容またはメニューデータを表示する内容表示手段と、
前記内容表示手段と連動して相手電話装置を選択し発信する相手選択発信手段と、
前記外部記憶媒体に記憶されている所定の発信元情報を送信する発信元情報送信手段と、
前記相手電話装置の種別を識別する相手電話装置種別識別手段を有し、
発信時に前記相手電話装置が前記発信元情報を受信可能な電話装置であると識別した時、前記発信元情報送信手段は所定の発信元情報を自動的に送信することを特徴とするデータ通信機能を有する電話装置。
【請求項２】
請求項１記載のデータ通信機能を有する電話装置において、
前記相手選択発信手段により発信する時、前記外部記憶媒体に蓄積されている前記相手電話装置に関する関連情報を当該電話装置の前記内容表示手段に自動的に表示することを特徴とするデータ通信機能を有する電話装置。
【請求項３】
請求項１または２記載のデータ通信機能を有する電話装置において、
前記相手端末種別識別手段により前記相手電話装置が前記発信元情報以外のデータをも受信できる電話装置であると識別した場合、前記外部記憶媒体に記憶されている所定のデータを送信可能とすることを特徴とするデータ通信機能を有する電話装置。
【請求項４】
文字または画像データを表示可能な電話装置であって、
相手電話装置からの発信元情報を受信する発信元情報受信手段と、
前記発信元情報を表示する発信元情報表示手段を有し、
前記発信元情報を伴う着信があった時、前記発信元情報の受信および表示が完了してから着信鳴動等の呼出動作を開始することを特徴とするデータ通信機能を有する電話装置。
【請求項５】
請求項４記載のデータ通信機能を有する電話装置において、
着信時に前記発信元情報を表示してから着信鳴動等の呼出動作を開始した後、所定の操作が為された時または予め定められた時間が経過した時、当該回線接続を切断することを特徴とするデータ通信機能を有する電話装置。
【発明の詳細な説明】
【技術分野】
【０００１】
本発明は、データ通信機能を有する電話装置であり、特に外部記憶媒体を利用する電話装置に関する。
【背景技術】
【０００２】
従来、電話装置の記憶部に個人の名刺データを記憶させ、複数の電話装置間で接近または接触により名刺データの交換を行う機能を持つ電子名刺装置が存在しているが、あくまで名刺交換に利用される技術であり、しかも電子名刺装置本体としては、制御部、記憶部、通信部を有する非常に高価な装置である。（例えば特許文献１参照）
また、インターネット電話を利用した電子名刺交換方法も提案されており、電子名刺装置を電話装置に接続し、相手に名刺データを送付させることにより着信者に対し発信者の詳細な情報を自動で通知させる技術がある。（例えば特許文献２参照）
【特許文献１】特開平６−２８３７２号公報
【特許文献２】特開２００１−３３９５０３号公報
【発明の開示】
【発明が解決しようとする課題】
【０００３】
前記提案では電子名刺装置に名刺データが格納されており、電子名刺装置を利用しなければ電話装置は名刺データを送信することはできない。しかも、出先で名刺データを交換するには電子名刺装置を携帯する必要があり極めて不便である。また、電子名刺装置は制御部、記憶部、通信部を有するため非常に高価なものであり、安価に利用できるシステムを提供する必要がある。
【０００４】
また、電話をかけた際、名刺データが着信側電話装置に送信されるが、着信側電話装置では、着信とほぼ同時に発信者の名刺データが表示されるため、着信者が相手と通話する前に相手を確認することができなかった。
【０００５】
本発明の目的は、電子名刺装置を使用することなく、名刺データなどの発信元情報を相手電話装置へ送信可能なデータ通信機能を有する電話装置を提供することにある。
【０００６】
本発明の他の目的は、着信側電話装置において、着信者が相手を確認してから通話に移行可能なデータ通信機能を有する電話装置を提供することにある。
【課題を解決するための手段】
【０００７】
第１の発明は、外部記憶媒体との接続手段を有する電話装置であって、外部記憶媒体の挿入または接続を検出する外部記憶媒体検出手段と、前記外部記憶媒体の挿入または接続を検出した時、前記外部記憶媒体に記憶されているデータの内容またはメニューデータを表示する内容表示手段と、前記内容表示手段と連動して相手電話装置を選択し発信する相手選択発信手段と、前記外部記憶媒体に蓄積されている所定の発信元情報を送信する発信元情報送信手段と、前記相手電話装置の種別を識別する相手端末種別識別手段を有し、発信時に前記相手電話装置が前記発信元情報を受信可能な電話装置であると識別した時、前記発信元情報送信手段は所定の発信元情報を自動的に送信することを特徴とする。
【０００８】
第２の発明は、上記第１の発明のデータ通信機能を有する電話装置において、前記相手選択発信手段により発信する時、前記外部記憶媒体に蓄積されている前記相手電話装置に関する関連情報を当該電話装置の前記内容表示手段に自動的に表示することを特徴とする。
【０００９】
第３の発明は、上記第１または上記第２の発明のデータ通信機能を有する電話装置において、前記相手端末種別識別手段により前記相手電話装置が前記発信元情報以外のデータをも受信できる電話装置であると識別した場合、前記外部記憶媒体に記憶されている所定のデータを送信可能とすることを特徴とする。
【００１０】
第４の発明は、文字または画像データを表示可能な電話装置であって、相手電話装置からの発信元情報を受信する発信元情報受信手段と、前記発信元情報を表示する発信元情報表示手段を有し、前記発信元情報を伴う着信があった時、前記発信元情報の受信および表示が完了してから着信鳴動等の呼出動作を開始することを特徴とする。
【００１１】
第５の発明は、上記第４の発明のデータ通信機能を有する電話装置において、着信時に前記発信元情報を表示してから着信鳴動等の呼出動作を開始した後、所定の操作が為された時または予め定められた時間が経過した時、当該回線接続を切断することを特徴とする。
【発明の効果】
【００１２】
本発明によれば、電子名刺装置を使用することなく、名刺データなどの発信元情報を相手電話装置へ送信することができる。いいかえれば、外部記憶媒体を利用し、外部記憶媒体に記憶されている名刺データを、自電話装置から相手電話装置へ送信することで、従来のような電子名刺装置を使用する必要がない。また、世の中に広く使用されている外部記憶媒体は比較的安価であり、接続が容易である。
【００１３】
また、本発明によれば、通話中に、自電話装置は、外部記憶媒体に記憶されている名刺データ以外の例えば文書や画像データを送付することができ、このことで通話中に相手と地図、写真などを閲覧しながら通話することができる。
【００１４】
また、本発明によれば、外部記憶媒体に記憶されている文書や画像データを送付する前に、相手電話装置が文書や画像データを受信可能であるかを識別するので、確認する手間を必要とせず無意味なデータ送信をしない。
【００１５】
また、本発明によれば、着信側電話装置において、着信者が相手を確認してから通話に移行することができる。すなわち、自電話装置は、発信時に例えば自分の名刺データを送信するので、着信側電話装置は、必ず着信鳴動前に相手の名刺データを表示することで、着信者が相手を確認してから通話に移行することができる。
【発明を実施するための最良の形態】
【００１６】
本発明の実施形態を、図を用いて説明する。
図１は、本発明に係る電話装置を利用したシステム全体の構成図である。システム構成は、本発明に係る自電話装置１００と本発明に係る相手電話装置２００と本発明機能に未対応の一般のＩＰ電話装置３００が、ＩＰ網５００に接続されている。また、外部記憶媒体４００（例えば、ＵＳＢメモリ、ＳＤカード等）には名刺データ、メニューデータ、文書、画像データなどが記憶されている。
【００１７】
外部記憶媒体４００が本発明に係る自電話装置１００に挿入され接続された場合、本発明に係る自電話装置１００は接続を検出し、自動的に外部記憶媒体４００に保存されているメニューデータを入力する。入力完了後は、メニューデータに従って項目選択することにより自動的に相手電話装置２００へ発信、および適宜データ送信をする。
【００１８】
本発明に係る相手電話装置２００は、着信前に受信した名刺データを画面に表示させる。なお、本発明機能に未対応の一般のＩＰ電話装置３００へ発信した場合、ＩＰ電話装置３００は通常の着信鳴動となる。
【００１９】
また、本発明に係る自電話装置１００は、送信時に相手電話装置２００が文書、画像データを受信可能であるか否か自動的に判別し、受信可能な場合外部記憶媒体４００からあらかじめ蓄積しておいた文書、画像データを選択し送信することができる。
【００２０】
図２は、本発明に係る自電話装置１００の機能構成を示すブロック図である。構成は、ＣＰＵなどで構成される制御部１０１と、記憶部１０２と、名刺データ記憶部１０３と、ＬＡＮ制御部１０４と、音声制御部１０５と、外部記憶媒体制御部１０６と、ダウンロード用記憶部１０７と、外部記憶媒体検出部１０８と、ＬＣＤ（液晶表示器）１１２と、操作部（キー、タッチパネル）１１３が接続されている。
【００２１】
また、外部記憶媒体４００を接続するための外部記憶媒体用コネクタ１０９が、外部記憶媒体検出部１０８と外部記憶媒体制御部１０６に接続されている。さらに、ＩＰ網５００との接続のためのＬＡＮＩ／Ｆ用コネクタ１１４が、ＬＡＮ制御部１０４に接続されている。そして、ハンドセット１１１との接続のためのハンドセット用コネクタ１１０が、音声制御部１０５に接続されている。
【００２２】
本発明に係る自電話装置１００は外部記憶媒体４００を利用する。外部記憶媒体４００は本発明に係る自電話装置１００の外部記憶媒体用コネクタ１０９に挿入することで、自電話装置１００と接続する。
【００２３】
図１の本発明に係る相手電話装置２００の機能構成は、図２と同じであるので、外部記憶媒体４００は、相手電話装置２００に接続することもできる。一方、本発明機能に未対応の一般のＩＰ電話装置３００は、図２の外部記憶媒体用コネクタ１０９を備えていないので、外部記憶媒体４００に記憶の名刺、文書、画像データには対応していない。
【００２４】
外部記憶媒体４００に記憶のメモリマップ例を図６に示す。構成は、デバイスデータ４０１と、メニューデータ４０２と、名刺データ４０３と、文書データ４０４と、画像データ４０５である。
【００２５】
デバイスデータ４０１は外部記憶媒体の種類、仕様、容量をあらわすデータである。メニューデータ４０２は外部記憶媒体４００に保存されているデータ（名刺、文書、画像データ）のリストメニューデータである。名刺データ４０３は自分の名刺と相手の名刺データである。文書データ４０４は一般的な文書データ、画像データ４０５は一般的な画像データである。
【００２６】
次に、本発明に係る自電話装置１００の動作を説明する。
【００２７】
図３は、本発明に係る自電話装置１００で外部記憶媒体４００と接続する時の動作フローチャートである。
電源投入されて待機状態になる。このとき図２の制御部１０１はＬＣＤ（液晶表示器）１１２を制御して、図７に示すような外部記憶媒体未接続状態の表示をする（Ｓ１００）。図２の制御部１０１は、外部記憶媒体検出部１０８が外部記憶媒体４００を検出したかを監視する（Ｓ１０１）。
【００２８】
外部記憶媒体４００が外部記憶媒体用コネクタ１０９に挿入され接続されると、外部記憶媒体検出部１０８が外部記憶媒体４００を検出して「ＹＥＳ」に移行し、制御部１０１はＬＣＤ（液晶表示器）１１２を制御して、図８に示すような「メモリ検出しました」を表示する（Ｓ１０２）。その後、外部記憶媒体制御部１０６が外部記憶媒体４００に記憶のメニューデータを読込んで自動入力し、制御部１０１はダウンロード記憶媒部１０７に
図６のメニューデータ４０２を記憶する（Ｓ１０３）。
【００２９】
すると、制御部１０１はＬＣＤ（液晶表示器）１１２を制御して、図９に示すような「データ転送完了しました」を表示する（Ｓ１０４）。その後、制御部１０１はダウンロード記憶部１０７、ＬＣＤ（液晶表示器）１１２を制御して、ダウンロード記憶部１０７に記憶しているメニューデータを読み出して、ＬＣＤ（液晶表示器）１１２に図１０に示すように表示する（Ｓ１０５）。
【００３０】
制御部１０１は設定時間内かを監視し（Ｓ１０６）、ＹＥＳならばメニューデータを表示しつづけ、ＮＯになったら待機状態にし、このとき外部記憶媒体接続済みを示すメモリ有を表示する（Ｓ１０７）。
【００３１】
次に、本発明に係る電話装置同士（１００と２００）が通話するときの動作を説明する。
【００３２】
図４Ａ，図４Ｂは、本発明に係る電話装置で発信側電話装置の動作フローチャートである。以下は、自電話装置１００から相手電話装置２００へ発信する場合を説明する。
図２の操作部（キー、タッチパネル）１１３の操作により、制御部１０１はダウンロード記憶部１０７に記憶しているメニューデータ４０２を読み出して、ＬＣＤ（液晶表示器）１１２に図１０に示すように表示する（Ｓ２００）。図１０のメニューデータにおいて、名刺リスト中の通信したい相手例えば「や」を選択すると、「や」から始まる相手リストが表示され（図示せず）、その中から特定の相手を選択すると、図１１に示すような相手電話装置およびその使用者に関する関連情報を読み出して、ＬＣＤ（液晶表示器）１１２に表示する（Ｓ２０１）。
【００３３】
図１１に示す「ＯＫ」が選択操作されると、制御部１０１は相手電話装置２００へ発信する（Ｓ２０２）。発信後、相手電話装置２００の応答があったときに、制御部１０１はＩＰ網５００を介して相手電話装置２００へ、名刺データの送付予告連絡を送信する（Ｓ２０３）。
【００３４】
送信後、制御部１０１は、相手電話装置２００から装置種別を示す特定ビットの送信受付があったかを一定時間の間監視し（Ｓ２０４）、送信受付があったＹＥＳの場合には、装置種別を示す特定ビットより、相手電話装置２００が名刺データを受信可能な電話装置であると識別し、外部記憶媒体４００に記憶している名刺データ４０３を読み出し、ＩＰ網５００を介して相手電話装置２００に送信し（Ｓ２０５）、送信受付がないＮＯの場合は本発明機能に未対応な電話装置と判断し、名刺データを送信しない。
【００３５】
次に、制御部１０１は、相手電話装置２００から着信受付があったかを一定時間の間監視し（Ｓ２０６）、ＹＥＳの場合は通話を開始し（Ｓ２０７）、ＮＯの場合は一定時間の間に所定の操作又はタイムアウトがあったかを監視し（Ｓ２０８）、ＮＯの場合はＳ２０４に戻し、ＹＥＳの場合は切断する（Ｓ２０９）。
【００３６】
通話中、制御部１０１は、図２の操作部（キー、タッチパネル）１１３より文書データ、画像データの送信選択がされたかを監視し（Ｓ２１０）、ＮＯの場合はオンフックを監視し（Ｓ２１１）、ＹＥＳの場合は終了し、ＮＯの場合はＳ２１０に戻す。Ｓ２１０でＹＥＳの場合はＩＰ網５００を介して相手電話装置２００へ、文書データ、画像データの送付予告連絡を送信する（Ｓ２１２）。
【００３７】
送信後、制御部１０１は、相手電話装置２００からのデータ受付可能を示す特定ビットの連絡があったかを一定時間の間監視し（Ｓ２１３）、ＮＯの場合はＳ２１０に戻し、ＹＥＳの場合はデータ受付可能を示す特定ビットより、文書データ、画像データを受信できる電話装置であると識別し、送信データサイズ連絡を、ＩＰ網５００を介して相手電話装置２００へ送信し（Ｓ２１４）、次いで、ダウンロード記憶部１０７に記憶している文書データ４０４、画像データ４０５を読み出し、ＩＰ網５００を介して相手電話装置２００へ送信する（Ｓ２１５）。
【００３８】
図５Ａ，図５Ｂは、本発明に係る電話装置で着信側電話装置の動作フローチャートである。以下は、電話装置２００が電話装置１００から着信する場合を説明する。
【００３９】
当該電話装置２００は、電話装置１００からの着信を受ける（３００）。そして、電話装置１００に対して応答する（Ｓ３０１）。
【００４０】
次に、相手電話装置１００からの名刺データの送付予告連絡を受信したら、電話装置２００は、名刺データを受信可能かを判断する（Ｓ３０２）。相手電話装置１００は自電話装置２００と同じ本発明に係る電話装置なので、ＹＥＳであり、発信側電話装置１００へ送信受付を送信する（Ｓ３０３）。
【００４１】
電話装置１００からの名刺データを受信したら、電話装置２００は、名刺データをＬＣＤ（液晶表示器）に表示する（Ｓ３０４）。表示後及び名刺データの受信がＮＯ（一般電話機からの着信）の場合に着信鳴動する（Ｓ３０５）。
【００４２】
鳴動中にオフフックがあったかを監視し（Ｓ３０６）、ＮＯの場合は、一定時間の間に所定の操作又はタイムアウトがあったかを監視し（Ｓ３０７）、ＮＯの場合は着信鳴動（Ｓ３０５）に戻し、ＹＥＳの場合は“ただいま出ることが出来ません”などのメッセージを送信し（Ｓ３０８）、切断する（Ｓ３０９）。
【００４３】
鳴動中にオフフックがあったＹＥＳの場合は、ＩＰ網５００を介して電話装置１００へ着信受付を送信し（Ｓ３１０）、通話を開始する（Ｓ３１１）。
【００４４】
通話中に相手電話装置１００からの文書データ、画像データの送信予告連絡を受信したら、文書データ、画像データを受信可能かどうかを判断し（Ｓ３１２）、ＹＥＳの場合は受信可能連絡を送信し（Ｓ３１３）、送信データサイズ連絡を受信し、次いで文書データ４０４、画像データ４０５を受信したら、受信した文書データ４０４、画像データ４０５を電話装置２００のダウンロード記憶部に記憶して保存する。
【００４５】
電話装置２００に外部記憶媒体４００が挿入され接続されていた場合は、外部記憶媒体４００にも記憶して保存する（Ｓ３１４）。その後オンフックを監視し（Ｓ３１５）、ＹＥＳの場合は終了し、ＮＯの場合はＳ３１２に戻す。
【００４６】
図１２は、本発明に係る発信側の電話装置１００と本発明に係る着信側の電話装置２００の間のシーケンスである。
【００４７】
外部記憶媒体４００が電話装置１００に差込挿入されることで接続する（Ｓ４００）。電話装置１００から電話装置２００へ発信する（Ｓ４０１）。電話装置２００から電話装置１００へ応答する（Ｓ４０２）。電話装置１００は電話装置２００へ名刺データ送信要求連絡を送信する（Ｓ４０３）。
【００４８】
電話装置２００は名刺データを受信可能かを判断する（Ｓ４０４）。可能であれば、電話装置２００へ送信受付を送信する（Ｓ４０５）。自電話装置１００は送信受付が有りかを一定時間の間監視し（Ｓ４０６）、ＹＥＳの場合に、名刺データを送信する（Ｓ４０７）。
【００４９】
電話装置２００は名刺データを受信したら、ＬＣＤ（液晶表示器）に表示する（Ｓ４０８）。その後及び名刺データ受信がＮＯの場合に着信鳴動する（Ｓ４０９）。
【００５０】
電話装置２００は、鳴動中にオフフックがあったかを監視し（Ｓ４１０）、ＮＯの場合は、次に、一定時間の間に所定の操作又はタイムアウトがあったかを監視し（Ｓ４１１）、ＹＥＳの場合は切断し（Ｓ４１２）、ＮＯの場合及び名刺データ受信がＮＯの場合は着信鳴動を継続する（Ｓ４０９）。
【００５１】
電話装置２００が鳴動中にオフフックがあったかを監視し（Ｓ４１０）、ＹＥＳの場合は、ＩＰ網５００を介して電話装置１００へ着信受付を送信する（Ｓ４１３）。このことで、発信側の電話装置１００と着信側の電話装置２００は通話状態となる（Ｓ４１４）。
【図面の簡単な説明】
【００５２】
【図１】本発明に係る電話装置を利用したシステム全体の構成図である。
【図２】本発明に係る電話装置の機能構成を示すブロック図である。
【図３】本発明に係る電話装置で外部記憶媒体を接続する時の動作フローチャートである。
【図４Ａ】本発明に係る電話装置で発信側電話装置の動作フローチャートである。
【図４Ｂ】本発明に係る電話装置で発信側電話装置の動作フローチャートである。
【図５Ａ】本発明に係る電話装置で着信側電話装置の動作フローチャートである。
【図５Ｂ】本発明に係る電話装置で着信側電話装置の動作フローチャートである。
【図６】外部記憶媒体に記憶のメモリマップ例である。
【図７】ＬＣＤに表示される待機状態（外部記憶媒体未接続時）の画面一例である。
【図８】ＬＣＤに表示される外部記憶媒体検出時の画面一例である。
【図９】ＬＣＤに表示される外部記憶媒体データ転送完了の画面一例である。
【図１０】ＬＣＤに表示されるメニューデータの画面一例である。
【図１１】ＬＣＤに表示される相手電話装置に関する関連情報の表示の画面一例である。
【図１２】本発明に係る発信側電話装置と本発明に係る着信側電話装置の間のシーケンスである。
【符号の説明】
【００５３】
１００：本発明に係る発信側電話装置、１０１：制御部、１０２：記憶部、１０３：名刺データ記憶部、１０４：ＬＡＮ制御部、１０５：音声制御部、１０６：外部記憶媒体制御部、１０７：ダウンロード記憶部、１０８：外部記憶媒体検出部、１０９：外部記憶媒体用コネクタ、１１０：ハンドセット用コネクタ、１１１：ハンドセット、１１２：ＬＣＤ（液晶表示器）、１１３：操作部（キー、タッチパネル）、１１４：ＬＡＮ用コネクタ、２００：本発明に係る着信側電話装置、３００：一般のＩＰ電話装置、４００：外部記憶媒体、４０１：デバイスデータ、４０２：メニューデータ、４０３：名刺データ、４０４：文書データ、４０５：画像データ、５００：ＩＰ網。
【図１】
2007336334.tif 000003
【図２】
2007336334.tif 000004
【図３】
2007336334.tif 000005
【図４Ａ】
2007336334.tif 000006
【図４Ｂ】
2007336334.tif 000007
【図５Ａ】
2007336334.tif 000008
【図５Ｂ】
2007336334.tif 000009
【図６】
2007336334.tif 000010
【図７】
2007336334.tif 000011
【図８】
2007336334.tif 000012
【図９】
2007336334.tif 000013
【図１０】
2007336334.tif 000014
【図１１】
2007336334.tif 000015
【図１２】
2007336334.tif 000016